(57)【要約】【課題】  使用時において衛生上の問題が生じ難いだけでなく、製造コストを抑えつつデザインの多様化も図れ、しかも、携帯や保管をコンパクトな形態で行える組立て式箸置きを提供すること。【解決手段】  短辺の側縁部11・11’と長辺の側縁部12・12'によって長細い輪郭形状を成す一対の第一板状部品１・１’から箸置きＲ1を構成すると共に、前記第一板状部品１・１’の短辺の側縁部11・11’に、スリット状の相欠き溝13・13'を長手方向に形成して、当該相欠き溝13・13'に相互に第一板状部品１・１’をクロスさせた状態で差し込むことにより、第一板状部品１・１’同士を一体化可能に構成した。【選択図】  図１
2017029682.tif 000002
【特許請求の範囲】
【請求項１】
短辺の側縁部(11)(11’)と長辺の側縁部(12)(12')によって長細い輪郭形状を成す一対の第一板状部品(１)(１’)から構成されると共に、前記第一板状部品(１)(１’)の短辺の側縁部(11)(11’)に、スリット状の相欠き溝(13)(13')が長手方向に形成されて、当該相欠き溝(13)(13')に相互に第一板状部品(１)(１’)をクロスさせた状態で差し込むことにより、第一板状部品(１)(１’)同士が一体化可能となっていることを特徴とする組立て式箸置き。
【請求項２】
第一板状部品(１)(１’)の長辺の側縁部(12)(12')が、内側に向けて凹んだ円弧状またはＶ字状となっていることを特徴とする請求項１記載の組立て式箸置き。
【請求項３】
第一板状部品(１)(１’)における少なくとも一方の長辺側縁部(12)(12')に、内側に向けて凹んだ円弧状またはＶ字状の凹部(12a)(12a’)が二つ以上並べて形成されていることを特徴とする請求項２記載の組立て式箸置き。
【請求項４】
第一板状部品(１)(１’)の材料に竹材が使用されると共に、第一板状部品(１)の相欠き溝(13)の深さ方向と竹材の繊維方向が揃っていることを特徴とする請求項１〜３の何れか一つに記載の組立て式箸置き。
【請求項５】
第一板状部品(１)(１’)の相欠き溝(13)(13')の深さが、第一板状部品(１)(１’)の長手方向の幅の半分の大きさであることを特徴とする請求項１〜４の何れか一つに記載の組立て式箸置き。
【請求項６】
第一板状部品(１)と同じ厚みを有し、かつ、側縁部に挟持凹部(21)が形成された第二板状部品(２)を含んで構成され、更に前記第二板状部品(２)の挟持凹部(21)の幅を、第一板状部品(１)(１’)…を複数枚重ねた厚みと等しくして、当該挟持凹部(21)に、相欠き溝(13)(13')…の位置を揃えて重ねた状態の第一板状部品(１)(１’)…を差し込むと共に、第一板状部品(１)(１’)…の相欠き溝(13)(13)…に第二板状部品(２)を差し込んで、複数枚の第一板状部品(１)(１’)…と第二板状部品(２)とが一体化可能となっていることを特徴とする請求項１〜５の何れか一つに記載の組立て式箸置き。
【請求項７】
第二板状部品(２)の材料に竹材が使用されると共に、第二板状部品(２)の挟持凹部(21)の深さ方向と竹材の繊維方向が揃っていることを特徴とする請求項１〜６の何れか一つに記載の組立て式箸置き。
【発明の詳細な説明】
【技術分野】
【０００１】
本発明は、箸置きの改良、詳しくは、衛生上の問題が生じ難いだけでなく、低コストでデザインの多様化も図れ、しかも、コンパクトな形態で携帯や保管も容易に行える組立て式箸置き(カトラリーレストとしての用途も含む)に関するものである。
【背景技術】
【０００２】
周知のとおり、食事中に箸を食卓に直接置くと、箸の接触面に食卓の汚れが付着して不衛生になり易いため、食事の作法として箸の先端を浮かせる箸置きが古くから使用されている。また箸置きは、他の食器と同様、食事の雰囲気を演出する道具の一つとなるため、需要者の嗜好に合わせて様々なデザインのものが市販されている。
【０００３】
ところで、上記箸置きの一般的なデザインとしては、棒状のものや板状のものが知られているが(例えば、特許文献１参照)、これらの箸置きは、箸を置く際に、箸置き上面と箸先とが面接触し易かったため、箸先に着いた料理の油成分や粘り成分等が箸置きに付着して不衛生になり易いという問題があった。
【０００４】
また同様に、上記従来の箸置きは、底面を食卓に面接触させた状態で載置するものが多かったため、食卓の汚れが底面に付着して汚れ易いという問題もあった。加えて、上記従来の箸置きは、一つの部材から構成されていたため、デザインを多様化すると製造コストが嵩み易かった。
【０００５】
一方、従来においては、複数の板状部品を組み合わせて作製された箸置きも公知となっているが(特許文献２参照)、この箸置きに関しては、板状部品を接着等により一体化していたため、デザイン面で板状部品を自由に組み合わせできないだけでなく、大きさの面でも携帯時や保管時に嵩張り易いという欠点があった。
【先行技術文献】
【特許文献】
【０００６】
【特許文献１】実開平４−２３４７３号公報
【特許文献２】特許第５４８７４５９号公報
【発明の概要】
【発明が解決しようとする課題】
【０００７】
本発明は、上記の如き問題に鑑みて為されたものであり、その目的とするところは、使用時において衛生上の問題が生じ難いだけでなく、製造コストを抑えつつデザインの多様化も図れ、しかも、携帯や保管をコンパクトな形態で行える組立て式箸置きを提供することにある。
【課題を解決するための手段】
【０００８】
本発明者が上記課題を解決するために採用した手段は次のとおりである。
【０００９】
即ち、本発明は、短辺の側縁部11・11’と長辺の側縁部12・12'によって長細い輪郭形状を成す一対の第一板状部品１・１’から箸置きＲ1を構成すると共に、前記第一板状部品１・１’の短辺の側縁部11・11’に、スリット状の相欠き溝13・13'を長手方向に形成して、当該相欠き溝13・13'に相互に第一板状部品１・１’をクロスさせた状態で差し込むことにより、第一板状部品１・１’同士を一体化可能に構成した点に特徴がある。なお本件明細書中において、「辺」には直線だけでなく曲線も含まれるものとする。
【００１０】
また、上記第一板状部品１・１’の長辺の側縁部12・12'を、内側に向けて凹んだ円弧状またはＶ字状とすれば、テーブル等の載置面に触れる面積を最小化することができるため、箸置きをより衛生的に使用することができる。
【００１１】
また更に、上記箸置きＲ1をカトラリーレスト(ナイフフォークレスト等)として使用する場合には、第一板状部品１・１’における少なくとも一方の長辺側縁部12・12'に、内側に向けて凹んだ円弧状またはＶ字状の凹部12a・12a’を二つ以上並べて形成することによって、複数本のカトラリー(フォークやナイフ、スプーン等)を、箸置きＲ1上に所定間隔を空けて並べて載置することができる。
【００１２】
また更に、上記第一板状部品１・１’の材料に竹材を使用すると共に、第一板状部品１の相欠き溝13の深さ方向と竹材の繊維方向が揃うように竹材を加工して第一板状部品１・１’を作製することによって、第一板状部品１・１’の相欠き溝13・13'の両側部位が負荷によって折れないようにしている。
【００１３】
そしてまた、本発明では、上記第一板状部品１・１’の相欠き溝13・13'の深さを、第一板状部品１・１’の長手方向の幅の半分の大きさとすることによって、第一板状部品１・１’同士をコンパクトな形態で一体化することができる。
【００１４】
一方、本発明では、上記第一板状部品１と同じ厚みを有し、かつ、側縁部に挟持凹部21が形成された第二板状部品２を使用することもでき、その場合には、前記第二板状部品２の挟持凹部21の幅を、第一板状部品１・１’…を複数枚重ねた厚みと等しくして、当該挟持凹部21に、相欠き溝13・13'…の位置を揃えて重ねた状態の第一板状部品１・１’…を差し込むと共に、第一板状部品１・１’…の相欠き溝13・13'…に第二板状部品２を差し込んで、複数枚の第一板状部品１・１’…と第二板状部品２を一体化可能に構成することができる。
【００１５】
また本発明では、上記第二板状部品２の材料に竹材を使用すると共に、第二板状部品２の挟持凹部21の深さ方向と竹材の繊維方向が揃うように竹材を加工して第二板状部品２を作製することによって、第二板状部品２の挟持凹部溝21の両側部位が負荷によって折れないようにしている。
【発明の効果】
【００１６】
本発明では、箸置きを、短辺の側縁部にスリット状の相欠き溝を有する一対の板状部品をクロスさせた状態で相欠き接ぎして構成したことにより、箸先を箸置き上部に点接触または線接触させた状態で載置することが可能となるため、箸の先端が面接触する従来の箸置きよりも箸先の汚れが付着し難くなる。
【００１７】
しかも、本発明の箸置きにおいては、底部を食卓上に線接触させた状態で載置することができるため、面接触させる従来の箸置きよりも底部が汚れ難くなる。このように、本発明の箸置きは、従来よりも使用時における衛生面での問題が生じ難いため、カビや雑菌等によ健康被害が生じる心配がない。
【００１８】
また更に、本発明の箸置きは、二つの板状部品を分解・組立自在に構成しているため、色や柄等が異なる板状部品の組み合わせによって、デザインの多様化も容易となる。また不使用時には、箸置きを板状部品に分解してコンパクト化できるため、携帯時や保管時に嵩張るような問題も生じない。
【００１９】
したがって、本発明により、食器に求められる衛生面の機能に優れるだけでなく、意匠面においても使用者の嗜好に対応することができ、更に使い勝手も非常に良い組立て式の箸置きを提供できることから、本発明の実用的利用価値は頗る高い。
【図面の簡単な説明】
【００２０】
【図１】本発明の実施例１における組立て式箸置き及びその構成部品を表わす全体斜視図である。
【図２】本発明の実施例１における組立て式箸置きの組立て方法を表わす分解斜視図である。
【図３】本発明の実施例１における組立て式箸置きの使用状態を表わす状態説明図である。
【図４】本発明の実施例２における組立て式箸置きを表わす全体斜視図である。
【図５】本発明の実施例２における組立て式箸置きの構成部品を表わす分解斜視図である。
【図６】本発明の実施例３におけるカトラリーレストに適した組立て式箸置きを表わす全体斜視図である。
【図７】本発明の実施例３における組立て式箸置きの使用状態を表わす状態説明図である。
【発明を実施するための形態】
【００２１】
『実施例１』
本発明の実施例１について、図１〜図３に基いて以下に説明する。なお同図において、符号１で指示するものは、第一板状部品であり、また符号Ｒで指示するものは、箸置きである。また符号Ｃで指示するものは、箸である。
【００２２】
「箸置きの基本構成」
この実施例１では、図１(a)に示す組立て式の箸置きＲ1を、図１(b)に示す一対の第一板状部品１・１’から構成している。またこれらの第一板状部品１・１’は、外周の短辺の側縁部11・11’及び長辺の側縁部12・12'によって長細い輪郭形状を成すように形成すると共に、片側の短辺の側縁部11・11’から長手方向にスリット状の相欠き溝13・13'をそれぞれ形成している。
【００２３】
「箸置きの組立・分解方法」
また上記箸置きＲ1の組立方法に関しては、図２(a)(b)に示すように、一対の第一板状部品１・１’を、互いの相欠き溝13・13'に相互に第一板状部品１・１’をクロスさせた状態で差し込むだけで、第一板状部品１・１’同士を一体化できる。一方、逆の手順で、箸置きＲ1から一方の第一板状部品１・１’を引き抜くだけで分解も容易に行える。
【００２４】
「箸置きの使用方法」
また、上記箸置きＲ1に関しては、図３(a)(b)に示すように食卓Ｔ上に載置して、食事中に箸Ｃを載せて使用することができる。この際、箸Ｃと箸置きＲ1、及び食卓Ｔと箸置きＲ1の接触は、点接触または線接触となるため、箸置きＲ1に汚れが付着し難くなる。また箸置きＲ1には、箸Ｃ以外のフォークやスプーン、ナイフ等の食器を置いて使用することもできる。
【００２５】
「箸置きの保管方法」
また更に、上記箸置きＲ1の不使用時には、上記箸置きＲ1を二枚の第一板状部品１・１’に分解して、これらを重ねることでコンパクト化することができる。これにより、収納が容易に行えるだけでなく、バッグ等に入れて携帯することも容易となるため、自宅だけでなく外食時にも使用し易くなる。
【００２６】
「第一板状部品の相欠き溝の深さ」
また本実施例では、上記第一板状部品１・１’の相欠き溝13・13'の深さを、第一板状部品１・１’の長手方向の幅の半分の大きさとしているため、一対の第一板状部品１・１’の両端を揃えて箸置きＲ1を作製できる。もちろん、相欠き溝13・13'の深さは、より浅く形成することも深く形成することもできる。
【００２７】
「第一板状部品の材質」
また本実施例では、上記第一板状部品１・１’の材料に抗菌性および耐久性に優れた竹材(竹の集成材)を使用している。但し、第一板状部品１・１’の材料には、食器に使用される一般的な材料、例えば、竹以外の木材やプラスチック材料、金属材料、セラミック(陶器)材料等を使用することもできる。
【００２８】
「第一板状部品の竹繊維方向」
また本実施例では、第一板状部品１・１’に竹材を使用すると共に、第一板状部品１の相欠き溝13の深さ方向と竹材の繊維方向が揃うように竹材を加工して第一板状部品１・１’を作製している。これにより、第一板状部品１・１’の相欠き溝13・13'の両側部位に負荷がかかった場合でも、この両側部位が撓って折れ難くなる。
【００２９】
「第一板状部品の長辺の側縁部の形状」
また本実施例では、上記第一板状部品１・１’の長辺の側縁部12・12'を、内側に向けて凹んだ円弧状として、図３(b)に示すように、長辺の側縁部12・12'が食卓Ｔに触れる面積ができるだけ小さくなるようにしている。しかも、これにより箸置きＲ1の横幅方向の中央部が食卓Ｔから浮いた状態となるため、使用時に箸置きＲ1が転がった場合でも、箸Ｃとの接触部分を衛生に保つことができる。なお長辺の側縁部12・12'をＶ字状にした場合も同様の効果が得られる。
【００３０】
また更に、本実施例では、第一板状部品１・１’の長辺の側縁部12・12'を円弧状としたことにより、箸置きＲ1に箸Ｃを置いた際、図３(a)(b)に示すように、長辺の側縁部12の中央の沈み込んだ部分に箸Ｃ・Ｃが安定した状態で配置することができるため、誤って箸Ｃに手が触れた場合でも箸Ｃが外側に転がって箸置きＲ1から落下する心配もない。
【００３１】
『実施例２』
「第二板状部品」
次に本発明の実施例２について以下に説明する。この実施例２では、図４及び図５に示すように、４枚の第一板状部品１・１’…と、これらの第一板状部品１と同じ厚みを有する第二板状部品２とから箸置きＲ2を構成している。また第二板状部品２の側縁部には、第一板状部品１・１’…を４枚重ねた厚みと同程度の幅の挟持凹部21を形成している。
【００３２】
「箸置きの組立・分解方法」
そして本実施例では、図４に示すように、上記第二板状部品２の挟持凹部21に、相欠き溝13・13'…の位置を揃えて重ねた状態の第一板状部品１・１’…を差し込むと共に、第一板状部品１・１’…の相欠き溝13・13'…に第二板状部品２を差し込むことで、図５に示す箸置きＲ2を組立てることができる。一方、逆の手順で、箸置きＲ2から第二板状部品２を引き抜けば分解も容易に行える。
【００３３】
「箸置きの使用方法」
また、図５に示す箸置きＲ2は、そのまま使用することもできるが、分解して複数枚の第一板状部品１・１’…から実施例１記載の箸置きＲ1を複数個組み立てて使用することもできる。これにより、第二板状部品２と一体化した状態で複数枚の第一板状部品１・１’…をまとめて携帯(または保管)して、使用時に自分以外の家族等の箸置きＲ・Ｒも一緒に用意できる。
【００３４】
「第二板状部品の材質」
なお本実施例では、上記第二板状部品２の材料に、第一板状部品１と同様、抗菌作用を有する竹材(竹の集成材)を使用しているが、この第二板状部品２に関しても、食器に使用される一般的な材料を使用することができる。また、第二板状部品２に第一板状部品１と異なる材料を使用することもできる。
【００３５】
「第二板状部品の竹繊維方向」
また本実施例では、第一板状部品１・１’に竹材を使用すると共に、第二板状部品２の挟持凹部21の深さ方向と竹材の繊維方向が揃うように竹材を加工して第二板状部品２を作製しているため、第二板状部品２の挟持凹部溝21の両側部位に負荷がかかっても、両側部位が撓って折れ難い。
【００３６】
「第二板状部品の挟持凹部の深さ」
また本実施例では、上記第二板状部品２と第一板状部品１・１’の長手方向の幅を揃えると共に、第二板状部品２の挟持凹部21の深さを、第二板状部品２の長手方向の幅の半分の大きさとしているため、第二板状部品２と第一板状部品１・１’のを両端を揃えた状態で両者を一体化できる。
【００３７】
「第二板状部品の挟持凹部の幅」
他方、上記第二板状部品２の挟持凹部21の幅については、本実施例では４枚の第一板状部品１・１’…を重ねた厚みと等しくしているが、第一板状部品１を複数枚(好ましくは第一板状部品１を４枚以上)重ねた厚さの範囲で変更できる。なお挟持凹部21の幅を変更する場合には、第一板状部品１・１’…の使用枚数もそれに合わせて変更する。
【００３８】
『実施例３』
「カトラリーレストに適した形態」
次に本発明の実施例３について以下に説明する。この実施例３では、図６に示すように、第一板状部品１・１’における一方の長辺の側縁部12・12'に、内側に向けて凹んだ円弧状の凹部12a・12a’を二つ並べて形成している。これにより、図７に示すように、箸置きＲ1上にフォークＦやナイフＫ、スプーン等を、間隔を空けた状態で並べて載せることができるため、カトラリーレストとしての使用が容易になる。
【００３９】
「複数の凹部の数や形状」
また、上記第一板状部品１・１’の長辺側縁部12・12'に設ける複数の凹部12a・12a’に関しては、載せるカトラリーの数に合わせて三つ以上並べて形成することもでき、また凹部12a・12a’の形状をＶ字状とすることもできる。また並べて形成する全ての凹部12a・12a’の形状や大きさ(幅や深さ)を統一する必要もなく、載せるカトラリーに合わせて各凹部12a・12a’の形状や大きさを適宜変更できる。
【００４０】
また更に、本実施例では、見栄えの観点から一方の長辺側縁部12・12’のみに複数の凹部12a・12a’を形成しているが、必要に応じて、第一板状部品１・１’の両方の長辺側縁部12・12'に、複数の凹部12a・12a’を形成することもでき、その場合には、各長辺側縁部12・12’に異なる数の凹部12a・12a’を形成することもできる(図示せず)。
【００４１】
本発明は、概ね上記のように構成されるが、記載した実施例にのみ限定されるものではなく、「特許請求の範囲」の記載内において種々の変更が可能であって、例えば、一対の第一板状部品１・１’の形状については、長細い形状であれば短辺の側縁部11・11’及び長辺の側縁部12・12'が直線状の矩形型とすることもできる。
【００４２】
また、第一板状部品１・１’の形状は、相欠き溝13・13’を中心軸とした対称形とする必要もなく、例えば、片方の長辺の側縁部をのみを円弧状に形成することもできる。また一対の第一板状部品１・１’の形状を、異なる形状で作製することもでき、例えば、一方の第一板状部品の長手側側縁部のみを円弧状とすることもできる。
【００４３】
また第二板状部品２についても、長手方向の幅を第一板状部品１・１’に合わせる必要はなく、第一板状部品１・１’よりも短く形成することも長く形成することもできる。また第一板状部品１・１’及び第二板状部品２の作製方法についても、材料に応じて機械加工やレーザ加工、樹脂成形等を採用でき、何れのものも本発明の技術的範囲に属する。
【産業上の利用可能性】
【００４４】
近年、食事を衛生的に行うためだけでなく、食事の雰囲気を盛り上げるために箸置きを使用する人が多くなっている。そのような中で、本発明の組立て式箸置きは、衛生面や使い勝手に優れるだけでなく、従来にないデザインで食事の雰囲気を演出できる有用な技術であるため、その産業上の利用価値は非常に高い。
【符号の説明】
【００４５】
１  第一板状部品
11  短辺の側縁部
12  長辺の側縁部
12a  凹部
13  相欠き溝
２  第二板状部品
21  挟持凹部
Ｒ  箸置き
Ｃ  箸
Ｔ  食卓
Ｆ  フォーク
Ｋ  ナイフ
【図１】
2017029682.tif 000003
【図２】
2017029682.tif 000004
【図３】
2017029682.tif 000005
【図４】
2017029682.tif 000006
【図５】
2017029682.tif 000007
【図６】
2017029682.tif 000008
【図７】
2017029682.tif 000009